(57)【要約】      （修正有）【課題】ポンプケース内のポンプユニットからの加圧エアを複数本のエアパイプに、エア量を無段に調節して送給することができ、各エアパイプに送給されるエア量の調節を簡単容易に行なうことができる。【解決手段】水槽用エアポンプであって、ポンプケース１の前部に設けられるエア調節器２に、ポンプユニットの吐出側に連通する複数のエア調節パイプ１１を並列して設けると共にそれらのエア調節パイプ１１の通路断面積をそれぞれ無段に調節し得る調節ローラ７を設け、複数のエア調節パイプ１１の出口には、エアパイプ１７をそれぞれ接続する。【選択図】図５
2008303727.tif 000002
【特許請求の範囲】
【請求項１】
水槽内に加圧エアを送給するための水槽用エアポンプであって、
ポンプユニットを収容したポンプケース（１）の前部にエア調節器（２）を設け、このエア調節器（２）には、ポンプユニットの吐出側に連通する複数のエア調節パイプ（１１）を並列して設けると共にそれらのエア調節パイプ（１１）の通路断面積をそれぞれ無段に調節し得る調節子（７）を設け、複数のエア調節パイプ（１１）の出口には、エアパイプ（１７）をそれぞれ接続してなることを特徴とする、水槽用エアポンプ。
【請求項２】
前記調節子（７）は、エア調節器（２）の上部にその少なくとも一部が露出しており、エア調節器（２）の外部から個別に転動かつスライド調節可能であり、前記エア調節パイプ（１１）を個別に無段に狭搾し得るようにされていることを特徴とする、前記請求項１記載の水槽用エアポンプ。
【発明の詳細な説明】
【技術分野】
【０００１】
本発明は、金魚、熱帯魚、海水魚等の観賞魚の飼育、育成に使用される水槽に用いられる水槽用エアポンプに関する。
【背景技術】
【０００２】
一般に、水槽用エアポンプは、駆動源として電磁石を用いたポンプユニットを密閉状ポンプケース内に収容し、ポンプケースの前面に、ポンプユニットの吐出側に連なるエア吐出口を開口し、このエア吐出口にエアパイプを接続したものが知られている（特許文献１参照）。
【特許文献１】特許第２６２８１３０号公報
【発明の開示】
【発明が解決しようとする課題】
【０００３】
ところで、従来の水槽用エアポンプにおいて、エア吐出口からのエアを複数箇所に分配供給する場合には、エア吐出口に、各分岐部に開閉弁を設けた分岐パイプを接続し、各開閉弁を開閉制御して複数の分岐パイプに加圧エアを分配供給するするようにされているが、かかる従来のものでは、吐出エア量の調節が面倒であるばかりでなく、開閉弁を設けた分岐パイプを別途に用意する必要があり、部品点数が増してコスト高になるという問題があった。
【０００４】
本発明はかかる事情に鑑みてなされたもので、簡単な操作により、吐出エア量を無段に調節して分配供給できるようにして、前記従来の問題を解決した、新規な水槽用エアポンプを提供することを目的とする。
【課題を解決するための手段】
【０００５】
前記目的達成のため、本請求項１の発明は、水槽内に加圧エアを送給するための水槽用エアポンプであって、
ポンプユニットを収容したポンプケースの前部にエア調節器を設け、このエア調節器には、ポンプユニットの吐出側に連通する複数のエア調節パイプを並列して設けると共にそれらのエア調節パイプの通路断面積をそれぞれ無段に調節し得る調節子を設け、複数のエア調節パイプの出口には、エアパイプをそれぞれ接続してなることを特徴としている。
【０００６】
前記目的達成のため、本請求項２の発明は、前記請求項１記載のものにおいて、前記調節子は、エア調節器の上部にその少なくとも一部が露出しており、エア調節器の外部から個別に転動かつスライド調節可能であり、前記エア調節パイプを個別に無段に狭搾し得るようにされていることを特徴としている。
【発明の効果】
【０００７】
前記請求項各項の発明によれば、エア調節器には、ポンプユニットの吐出側に連通する複数のエア調節パイプを並列して設けると共にそれらのエア調節パイプの通路断面積をそれぞれ無段に調節し得る調節子を設け、複数のエア調節パイプの出口には、エアパイプをそれぞれ接続したので、ポンプユニットからの加圧エアを複数本のエアパイプに、エア量を無段に調節して送給することができ、特に、各エアパイプに送られるエア量の調節を調節子により簡単容易に行なうことができると共にその調節子の位置により、各エアパイプに送給されるエアの流量を容易に判別することができる。また、エア量調節用の開閉弁を別途に設ける必要がない。
【０００８】
また、請求項２項の発明によれば、複数本のエアパイプに送給されるエアの流量調節を、指先で簡単容易に行なうことができる。
【発明を実施するための最良の形態】
【０００９】
以下、本発明の実施の形態を、添付図面に示した本発明の実施例に基づいて説明する。      
【００１０】
まず、図１〜７を参照して本発明の第１実施例について説明するに、図１は、水槽用エアポンプの斜視図、図２は、図１の２−２線に沿う拡大断面図、図３は、図１の３矢視拡大図、図４は、図３の４−４線に沿う断面図、図５は、図３の５−５線に沿う断面図、図６は、図３の６−６線に沿う断面図、図７は、第１実施例の一使用例を示す図である。
【００１１】
図１において、全体を符号Ｐで示されるエアポンプのポンプケース１内には、電磁石によって作動される従来公知のポンプユニット（図示せず）が収容される。ポンプケース１の前面には、後に詳述するエア調節器２が固定されており、また、その後面には、前記電磁石に通電するための電気コード３が接続される。
【００１２】
つぎに、図２〜７を参照して前記エア調節器２の構造について詳細に説明するに、このエア調節器２の調節器本体４は、硬質の合成樹脂剤により構成されて、ポンプケース１の前面に複数のビス５をもって固定されている。この調節器本体４は、上面の平坦な半円状部分を備え、その上面にポンプケース１の長手方向に沿う長孔よりなる３つの調節孔６・・が相互に平行に並設されており、それらの調節孔６・・内に、後述する調節子として調節ローラ７・・が回転かつスライド移動可能に収容される。
【００１３】
図５〜７に示すように、調節器本体４内には、ポンプユニットの吐出側に連通するエアチャンバ８が形成されるとともにこのエアチャンバ８に連通する３つの調節室９・・が並列して区画形成されており、それら３つの調節室９・・内には、断面凹状のパイプ受部材１０・・がそれぞれ固定されており、これらのパイプ受部材１０・・の底壁１０ａは、図５，６に示すように、調節器本体４の基端側（ポンプケーシング１側）から先端側に向かって下り勾配の傾斜面に形成されている。３つのパイプ受部材１０・・内には、調節器本体４を前後方向に延びる３本のエア調節パイプ１１・・がそれぞれ収容されており、それらのエア調節パイプ１１・・の基端は前記エアチャンバ８に連通され、またそれらの先端は調節器本体４の前壁に設けた３つのエア吐出口１２・・にそれぞれ連通されている。そして、３本のエア調節パイプ１１・・の底面は、パイプ受部材１０・・の傾斜した底壁１０ａ・・上に支持されていて、エア調節器本体４内を、その基部から先部に向かって下り勾配に傾斜されている。
【００１４】
３つのパイプ受部材１０・・の上面は、調節器本体４の平坦な上面に開口した３つの調節孔６・・にそれぞれ連通されている。図４〜６に示すように、３つのパイプ受け部材１０・・の対向内側面には、その長手方向に沿って対をなすガイド溝１４・・がそれぞれ形成されており、それらのガイド溝１４・・に、調節ローラ７・・のローラ軸１６・・がスライド移動可能でかつ回転自在に支持されている。調節ローラ７・・の上部は、前記調節器本体４の上面に形成した調節孔６・・から外方に露出しており、操作者が、外部から回転およびスライド移動操作できるようにされている。調節ローラ７・・の外周面にはギザ７ａ・・が形成されていて、その回転およびスライド移動操作がし易くされている。
【００１５】
図５に示すように、調節ローラ７が調節器本体４の前端部にあるとき、エア調節パイプ１１は、この調節ローラ７と底壁１０ａとの間にあって潰されることがなくエア調節パイプ７の通路断面積は絞られることはないが、、調節ローラ７を回転しつつ後方（図５右方）にスライド移動すると、エア調節パイプ１１は、この調節ローラ７と底壁１０ａとの間で漸次潰されてその通路断面積が、漸次に絞られるようになっており、図６に示すように、調節ローラ７が後端部に至れば、エア調節パイプ１１は完全に潰されて閉じるようにされている。したがって、調節ローラ７を回転しつつ前後にスライド移動することにより、エア調節パイプ１１を流れるエア流量を無段に調節し、またエアの流れを止めることができる。
【００１６】
調節器本体４の前面の３つのエア吐出口１２・・には、それぞれエアパイプ１７・・が接続される。
【００１７】
つぎに、この実施例の作用について説明すると、ポンプケース１内のポンプユニットの稼働によれば、加圧エアは、エアチャンバ８内に送給され、そこから３本のエア調節パイプ１１・・を通ってそれらに接続されるエアパイプ１７・・に分配供給される。
【００１８】
ところで、３本のエア調節パイプ１１・・にそれぞれ対応する調節ローラ７・・を、前述のように個別に回転、スライド移動調節することにより、それらのエア調節パイプ１１・・の通路断面積を無段に調節し、また閉鎖することができ、３本のエアパイプに供給されるエア流量を無段の調節し、また閉じることができる。
【００１９】
図７には、この第１実施例の一使用例が示される。
【００２０】
この使用例によれば、エアポンプの３本のエア調節パイプ１１・・にそれぞれ接続される３本のエアパイプ１７・・のうちの１本のエアパイプ１７は、一方の水槽Ｖ１内のエアポンプ式濾過器Ｆ１に、他の２本のエアパイプ１７，１７は、他方の水槽Ｖ２内の、エアポンプ式濾過器Ｆ２およびエアストンＳに接続される。エアパイプ１７・・に対応する調節ローラ７・・の個々の回転、スライド移動調節により、前記濾過器Ｆ１，Ｆ２およびエアストンＳへのエアの供給流量を無段に調節することができる。
【００２１】
つぎに、図８（Ａ）を参照して本発明の第２実施例について説明する。
【００２２】
図８（Ａ）は水槽用エアポンプの斜視図であり、ポンプケーシング１の前面に固定されるエア調節器２には、前記第１実施例と同じ構造の２本のエア調節パイプ１１，１１が並列して設けられ、これらのエア調節パイプ１１，１１は、２本のエアパイプ１７，１７にそれぞれ接続され、ポンプユニットからの加圧エアは、その流量を無段に調節されて２本のエアパイプ１７，１７の分配供給される。
【００２３】
つぎに、図８（Ｂ）を参照して本発明の第３実施例について説明する。
【００２４】
図８（Ｂ）は水槽用エアポンプの斜視図であり、ポンプケーシング１の前面に固定されるエア調節器２には、前記第１実施例と同じ構造の４本のエア調節パイプ１１・・・が並列して設けられ、これらのエア調節パイプ１１・・・は、４本のエアパイプ１７・・・にそれぞれ接続され、ポンプユニットからの加圧エアは、その流量を無段に調節されて４本のエアパイプ１７・・・の分配供給される。
【００２５】
以上、本発明の実施例について説明したが、本発明はその実施例に限定されることなく、本発明の範囲内で種々の実施例が可能である。
【００２６】
たとえば、前記実施例では、エア調節器に２〜４本のエア調節パイプを設けた場合について説明したが、エア調節器に５本以上のエア調節パイプを設けてもよい。
【図面の簡単な説明】
【００２７】
【図１】本発明の第１実施例にかかる水槽用エアポンプの斜視図
【図２】図１の２−２線に沿う拡大断面図
【図３】図１の３矢視拡大図
【図４】図３の４−４線に沿う断面図
【図５】図３の５−５線に沿う断面図
【図６】図３の６−６線に沿う断面図
【図７】第１実施例の一使用例を示す図
【図８（Ａ）】本発明の第２実施例にかかる水槽用エアポンプの斜視図
【図８（Ｂ）】本発明の第３実施例にかかる水槽用エアポンプの斜視図
【符号の説明】
【００２８】
１・・・・・・・・・・・ポンプケース
２・・・・・・・・・・・エア調節器
７・・・・・・・・・・・調節子（調節ローラ）
１１・・・・・・・・・・・エア調節パイプ
１７・・・・・・・・・・・エアパイプ
【図１】
2008303727.tif 000003
【図２】
2008303727.tif 000004
【図３】
2008303727.tif 000005
【図４】
2008303727.tif 000006
【図５】
2008303727.tif 000007
【図６】
2008303727.tif 000008
【図７】
2008303727.tif 000009
【図８（Ａ）】
2008303727.tif 000010
【図８（Ｂ）】
2008303727.tif 000011